(57)【特許請求の範囲】
【請求項１】
大便器の背面側に載置台を配置し、この載置台と側壁との間を収納部としたトイレユニットのキャビネット構造において、前記収納部を画成する側壁の内側には板材が配置され、この板材は前記載置台側面との間に設けられる突っ張り部材にて前記側壁に押し付けられ、この板材に前記収納部の扉の回動中心となるヒンジが取り付けられていることを特徴とするトイレユニットのキャビネット構造。
【請求項２】
請求項１に記載のトイレユニットのキャビネット構造において、前記板材及び前記載置台側面には突っ張り部材を固定するための係止部材が設けられていることを特徴とするトイレユニットのキャビネット構造。
【請求項３】
請求項１に記載のトイレユニットのキャビネット構造において、前記突っ張り部材は棒状をなすとともに伸び方向に付勢されることを特徴とするトイレユニットのキャビネット構造。
【発明の詳細な説明】
【技術分野】
【０００１】
本発明は、大便器の背面側に載置台を配置し、この載置台と側壁との間を収納部としたトイレユニット（システムトイレ）のキャビネット構造に関する。
【背景技術】
【０００２】
トイレ空間の有効利用と使いやすさの観点から、大便器の背面側に手洗器などを支持する載置台を設け、この載置台とトイレユニットの側壁との間の空間を、トイレットペーパなどの小物をストックしておく収納部としたキャビネット構造が特許文献１に開示されている。
【０００３】
図７は上記特許文献１に開示された構造を説明した図であり、載置台１００と側壁１０１の間を収納部１０２とし、この収納部１０２に扉１０３を設けている。そして、特許文献１にあっては扉１０３の回動中心となるヒンジ１０４を載置台１００の側面に取り付けている。このような構成にすることによって、特許文献１に開示されたキャビネットは収納空間を箱状のキャビネットで構成する従来技術に比較して扉の寸法を収納空間の大きさに合わせることが容易であり、壁面との間に隙間が形成されることのないキャビネットを提供している。
【０００４】
【特許文献１】特開２００３−３２８４２１号公報
【発明の開示】
【発明が解決しようとする課題】
【０００５】
特許文献１にあっては、収納部の扉を支持するヒンジは載置台の側面に取付けられている。このため、扉は大便器に近づくように開くことになり、大便器の使用者が収納部内の小物などを座ったままの姿勢で取り出そうとすると、扉が邪魔になってしまう。
【０００６】
そこで、側壁にヒンジを取り付ければ、扉は大便器とは反対側に開くので、内部の小物を取り出すことができる。しかしながら、側壁が比較的薄い樹脂成形体の場合には側壁にヒンジを取り付けることはできない。また仮に側壁の強度が十分であったとしても測壁を傷つけることになる。
【課題を解決するための手段】
【０００７】
上記課題を解決するため本発明は、大便器の背面側に載置台を配置し、この載置台と側壁との間を収納部としたトイレユニットのキャビネット構造において、前記収納部を画成する側壁の内側には板材が配置され、この板材は前記載置台側面との間に設けられる突っ張り部材にて前記側壁に押し付けられ、この板材に前記収納部の扉の回動中心となるヒンジが取り付けられた構成とした。
【０００８】
本発明にあっては、前記突っ張り部材が振動などで板材と載置台側面との間からはずれることがないように、前記板材及び前記載置台側面に突っ張り部材を固定するための係止部材を設けることが好ましい。
【０００９】
また、前記突っ張り部材としては棒状をなすとともに伸び方向に付勢される構造のもの、例えば筒体内にロッドが摺動自在に挿入され、このロッドがスプリングによって伸び方向に付勢されているものなどが考えられる。
【発明の効果】
【００１０】
本発明に係るトイレユニットのキャビネット構造によれば、収納空間の大きさをトイレユニットの大きさにあわせて容易に可変させることができるため、トイレユニットの壁面と収納部の間に隙間が形成されないようにすることができるだけでなく、トイレユニットの側壁にヒンジを取り付けることなく収納部の扉を外側に向けて、即ち大便器から離れる方向に開くことができ、使用者は座ったまま楽に収納部内の小物を取り出すことができる。
【００１１】
しかも、本発明にあってはトイレユニットの側壁の強度が不足している場合にも適用でき、また既存のトイレユニットにも使用することができる。
【発明を実施するための最良の形態】
【００１２】
以下に本発明の実施例を添付図面に基づいて説明する。図１は本発明に係るキャビネット構造を適用したトイレユニットの斜視図、図２は同トイレユニットの平面図、図３は収納部の拡大斜視図、図４は突っ張り部材の断面図である。
【００１３】
トイレユニットは床面１上に大便器２が設置され、この大便器２の背面側の壁面３に載置台４が固定されている。この載置台４については天板を取り外し自在とし内部にトイレットペーパ、石鹸、洗剤などを収納可能な空間としてもよい。
【００１４】
前記大便器２の右側の壁面５に手洗器６と手洗器キャビネット７が固定され、トイレユニットの側壁５のうち、大便器２の右側の壁体５には手洗器キャビネット７との間にカウンター８が設けられている。
【００１５】
また、前記載置台４とトイレユニットの左右の側壁５との間の空間はトイレットペーパなどの小物を収納する収納部９とされ、この収納部９の前面に扉１０を設けている。
【００１６】
一方、収納部９を画成する側壁５の内側には板材１１が配置され、この板材１１は板材１１と載置台４側面との間に設けた突っ張り部材１２によって、側壁５の内側面に押し付けられ、この板材１１にヒンジ１３を介して前記扉１０が開閉可能に取り付けられている。このように板材１１側にヒンジ１３を設けることで扉１０は大便器２から離れた位置を回動中心として開閉する。
【００１７】
前記突っ張り部材１２は、図４に示すように、筒体１４内にロッド１５が挿入され、筒体１４内には前記ロッド１５を突出方向に付勢するスプリング１６が収納され、またキャップ１７にてロッド１５の飛び出しを防止する構造になっている。
【００１８】
また、前記突っ張り部材１２の突き当て端部とヒンジ１３とはできるだけ近い箇所が好ましい。図５は突っ張り部材１２の突き当て端部の位置がずれたり、外れたりするのを防止するための構造であり、図では板材１１側を示しているが載置台４側面も同様の構造とするのが好ましい。
【００１９】
先ず図５（ａ）に示す構造では、板材１１に係止部材としてのビス１８を取り付け、一方突っ張り部材１２の凹状先端部１９とし、この凹状先端部１９をビス１８に係止せしめるようにしている。また同図（ｂ）に示す構造では、板材１１に係止部材としてのカップ状部材２０をビス１８によって取り付け、このカップ状部材２０に突っ張り部材１２のパイプ状先端部２１が嵌合するようにし、また同図（ｃ）に示す構造では、板材１１に係止部材としての凹部２２を形成し、この凹部２２に突っ張り部材１２の先端凸部２３が嵌合するようにしている。
【００２０】
図６は収納部９の寸法に合わせて幅寸法を調整可能とした扉１０の例を示す図であり、この実施例では扉１０を前面板３１と後面板３２で構成し、後面板３２に長穴３３を形成し、この長穴３３の部分を介してボルト３４により前面板３１と後面板３２とを一体化し、またボルト３４を緩め後面板３２の位置を矢印方向に調整するようにしている。
【００２１】
尚、図示例では左右の収納部９，９に本発明の側板１１と突っ張り部材１２を適用したが、一方の収納部９にのみ適用してもよい。
【図面の簡単な説明】
【００２２】
【図１】本発明に係るキャビネット構造を適用したトイレユニットの斜視図
【図２】同トイレユニットの平面図
【図３】収納部の拡大斜視図
【図４】突っ張り部材の断面図
【図５】（ａ）〜（ｃ）は突っ張り部材の端部係止の具体例を示した図
【図６】別実施例を示す収納部の平面図
【図７】従来の構造を説明した図
【符号の説明】
【００２３】
１…床面、２…大便器、３…背面側の壁面、４…載置台、５…側面側の壁面、６…手洗器、７…手洗器キャビネット、８…カウンタ、９…収納部、１０…扉、１１…板材、１２…突っ張り部材、１３…ヒンジ、１４…筒体、１５…ロッド、１６…スプリング、１７…キャップ、１８…ビス、１９…凹状先端部、２０…カップ状部材、２１…パイプ状先端部、２２…凹部、２３…先端凸部、３１…前面板、３２…後面板、３３…長穴、３４…ボルト。
【図１】
0004556792.tif 000002
【図２】
0004556792.tif 000003
【図３】
0004556792.tif 000004
【図４】
0004556792.tif 000005
【図５】
0004556792.tif 000006
【図６】
0004556792.tif 000007
【図７】
0004556792.tif 000008